(57)【要約】      （修正有）【課題】ドキュメント処理装置のユーザ・インターフェイスを変更するためのシステムおよび方法を提供する。【解決手段】ウェブ・サーバが、プロセッサとストレージとを有するドキュメント処理装置のコントローラにおいて起動され、第１の構成ファイルがデータ・ストレージ内に保存される。第１の構成ファイルにしたがって、ドキュメント処理装置の動作に対応する標章の表示を含むユーザ・インターフェイスがドキュメント処理装置のディスプレイ上に表示される。表示された標章に対応するドキュメント処理装置の動作のユーザ選択に対応するユーザ選択データが、ウェブ・サーバを介して受け取られ、選択データが、受け取られたユーザ選択データにしたがって、表示される。第１の構成ファイルが、管理ワークステーションに出力され、代わりの第２の構成ファイルが管理ワークステーションから受信されウェブ・サーバ内に読み込まれる。【選択図】図９
2010165353.tif 000002
【特許請求の範囲】
【請求項１】
プロセッサおよびデータ・ストレージとを備えるインテリジェント・コントローラを有するドキュメント処理装置と、
前記ドキュメント処理装置の動作に対応する標章を含むウェブ出力を生成するための第１のウェブ・サーバ構成ファイルによって構成され、かつ、生成された標章にしたがって前記ドキュメント処理装置の動作のユーザ選択に対応するユーザ選択データを受け取るように構成され、前記コントローラに配置されたウェブ・サーバと、
このウェブ・サーバとインターフェイスし、前記ドキュメント処理装置の動作に対応する前記標章の表示を含むユーザ・インターフェイスを表示し、かつ、受け取られた前記ユーザ選択データにしたがって前記選択データを表示するシン・クライアントを備えるユーザ・インターフェイスと、
管理ワークステーションと、
前記第１の構成ファイルを前記管理ワークステーションに出力し、前記管理ワークステーションから代わりの第２の構成ファイルを受信するデータ・ポートと、
前記受信された代わりの第２の構成ファイルにしたがって代替ユーザ・インターフェイスの生成を開始するように、前記受信された代わりの第２の構成ファイルを前記ウェブ・サーバ内に読み込むデータ・エディタと
を備えることを特徴とするドキュメント処理装置のユーザ・インターフェイスを変更するためのシステム。
【請求項２】
前記第１の構成ファイルは、ＸＭＬコードから構成されることを特徴とする請求項１に記載のドキュメント処理装置のユーザ・インターフェイスを変更するためのシステム。
【請求項３】
前記データ・ポートは、ネットワーク・インターフェイスまたはストレージ・インターフェイスから構成されることを特徴とする請求項２に記載のドキュメント処理装置のユーザ・インターフェイスを変更するためのシステム。
【請求項４】
前記データ・ポートによる前記第１の構成ファイルの出力に先立って、前記第１の構成ファイルからユーザ・インターフェイス要素のサブセットを選択するフィルタを、さらに、備えることを特徴とする請求項１に記載のドキュメント処理装置のユーザ・インターフェイスを変更するためのシステム。
【請求項５】
前記フィルタは、前記第１の構成ファイルからグラフィカル・ユーザ要素または装置制御要素を選択することを特徴とする請求項４に記載のドキュメント処理装置のユーザ・インターフェイスを変更するためのシステム。
【請求項６】
前記データ・ポートは、さらに、補足的な構成ファイルを受信し、
前記データ・エディタは、さらに、前記補足的な構成ファイルにしたがって増補されたユーザ・インターフェイスの生成を開始するために、前記補足的な構成ファイルを前記第１の構成ファイルに追加することを特徴とする請求項１に記載のドキュメント処理装置のユーザ・インターフェイスを変更するためのシステム。
【請求項７】
プロセッサおよびデータ・ストレージとを有するドキュメント処理装置のコントローラ上においてウェブ・サーバを起動するステップと、
第１の構成ファイルを前記データ・ストレージ内に保存する保存ステップと、
前記第１の構成ファイルにしたがって、前記ドキュメント処理装置の動作に対応する標章を含むウェブ出力を生成するステップと、
前記ドキュメント処理装置のシン・クライアント・ディスプレイ上に、前記ドキュメント処理装置の動作に対応する前記標章の表示を含むユーザ・インターフェイスを表示するステップと、
前記表示された標章に対応する前記ドキュメント処理装置の動作のユーザ選択に対応するユーザ選択データを、前記ウェブ・サーバを介して受け取るステップと、
受け取られた前記ユーザ選択データにしたがって、前記選択データを、前記ユーザ・インターフェイスを介して、表示するステップと、
前記第１の構成ファイルを管理ワークステーションに出力する出力ステップと、
前記管理ワークステーションから代わりの第２の構成ファイルを受信するステップと、
前記受信された代わりの第２の構成ファイルにしたがって代替のユーザ・インターフェイスの生成を開始するように、前記受信された代わりの第２の構成ファイルを前記ウェブ・サーバ内に読み込むステップと
を含むことを特徴とするドキュメント処理装置のユーザ・インターフェイスを変更するための方法。
【請求項８】
前記保存ステップは、ＸＭＬコードから構成された前記第１の構成ファイルを保存するステップを含むことを特徴とする請求項７に記載のドキュメント処理装置のユーザ・インターフェイスを変更するための方法。
【請求項９】
前記出力ステップは、ネットワーク・インターフェイスまたはストレージ・インターフェイスを介して前記第１の構成ファイルを出力するステップを含むことを特徴とする請求項８に記載のドキュメント処理装置のユーザ・インターフェイスを変更するための方法。
【請求項１０】
前記方法は、
前記第１の構成ファイルの出力に先立って、前記第１の構成ファイルからユーザ・インターフェイス要素のサブセットをフィルタリングするステップを、さらに、含むことを特徴とする請求項７に記載のドキュメント処理装置のユーザ・インターフェイスを変更するための方法。
【請求項１１】
前記フィルタリングするステップは、グラフィカル・ユーザ要素または装置制御要素を前記第１の構成ファイルからフィルタリングするステップを含むことを特徴とする請求項１０に記載のドキュメント処理装置のユーザ・インターフェイスを変更するための方法。
【請求項１２】
前記方法は、
補足的な構成ファイルを受信するステップと、
前記補足的な構成ファイルを前記第１の構成ファイルに追加するステップと、
このステップにおいて追加された構成ファイルにしたがって増補されたユーザ・インターフェイスを生成するステップと
を、さらに、含むことを特徴とする請求項７に記載のドキュメント処理装置のユーザ・インターフェイスを変更するための方法。
【請求項１３】
プロセッサおよびデータ・ストレージとを有するドキュメント処理装置のコントローラ上においてウェブ・サーバを起動するウェブ・サーバ起動手段と、
第１の構成ファイルを前記データ・ストレージ内に保存する構成ファイル保存手段と、
前記第１の構成ファイルにしたがって、前記ドキュメント処理装置の動作に対応する標章を含むウェブ出力を生成するウェブ出力生成手段と、
前記ドキュメント処理装置のシン・クライアント・ディスプレイ上に、前記ドキュメント処理装置の動作に対応する前記標章の表示を含むユーザ・インターフェイスを表示するユーザ・インターフェイス表示手段と、
前記表示された標章に対応する前記ドキュメント処理装置の動作のユーザ選択に対応するユーザ選択データを、前記ウェブ・サーバを介して受け取るユーザ選択データ受取り手段と、
受け取られた前記ユーザ選択データにしたがって、前記選択データを、前記ユーザ・インターフェイスを介して、表示する選択データ表示手段と、
前記第１の構成ファイルを管理ワークステーションに出力する構成ファイル出力手段と、
前記管理ワークステーションから代わりの第２の構成ファイルを受信する代替構成ファイル受信手段と、
前記受信された代わりの第２の構成ファイルにしたがって代替のユーザ・インターフェイスの生成を開始するように、前記受信された代わりの第２の構成ファイルを前記ウェブ・サーバ内に読み込む代替構成ファイル読込み手段と
を備えることを特徴とするドキュメント処理装置のユーザ・インターフェイスを変更するためのシステム。
【請求項１４】
前記構成ファイル保存手段は、ＸＭＬコードから構成された前記第１の構成ファイルを保存する手段を含むことを特徴とする請求項１３に記載のドキュメント処理装置のユーザ・インターフェイスを変更するためのシステム。
【請求項１５】
前記構成ファイル出力手段は、ネットワーク・インターフェイスまたはストレージ・インターフェイスを介して前記第１の構成ファイルを出力する手段を含むことを特徴とする請求項１４に記載のドキュメント処理装置のユーザ・インターフェイスを変更するためのシステム。
【請求項１６】
前記システムは、
前記第１の構成ファイルの出力に先立って、前記第１の構成ファイルからユーザ・インターフェイス要素のサブセットをフィルタリングするフィルタリング手段を、さらに、備えることを特徴とする請求項１３に記載のドキュメント処理装置のユーザ・インターフェイスを変更するためのシステム。
【請求項１７】
前記フィルタリング手段は、グラフィカル・ユーザ要素または装置制御要素を前記第１の構成ファイルからフィルタリングする手段を含むことを特徴とする請求項１６に記載のドキュメント処理装置のユーザ・インターフェイスを変更するためのシステム。
【請求項１８】
前記システムは、
補足的な構成ファイルを受信する補足ファイル受信手段と、
前記補足的な構成ファイルを前記第１の構成ファイルに追加するファイル追加手段と、
このファイル追加手段によって追加された構成ファイルにしたがって、増補されたユーザ・インターフェイスを生成する手段と
を、さらに、備えることを特徴とする請求項１３に記載のドキュメント処理装置のユーザ・インターフェイスを変更するためのシステム。
【発明の詳細な説明】
【技術分野】
【０００１】
本発明は、ドキュメント処理装置のユーザ・インターフェイスを変更するためのシステムおよび方法に関する。
【背景技術】
【０００２】
広く使用されているドキュメント処理装置には、コピー機、プリンタ、ファクシミリ装置、電子メール・サーバおよびスキャナが含まれる。最近では、これらの装置が有する機能の複数の機能を備える装置がドキュメント処理環境において使用されており、これらは、多機能周辺装置（ＭＦＰ）または多機能装置と呼ばれている。最近のドキュメント処理装置の複雑性および能力を考えると、プログラム可能かつインテリジェントな制御システムを内蔵して装置を動作させるとともに、ユーザ・インターフェイスを生成することが有効である。このような制御システムは、プロセッサ、メモリ、および適切なソフトウェアを含み、通常、コントローラと呼ばれる。
【０００３】
しばしば、特にドキュメント処理装置のユーザ・インターフェイスに反映されるような、装置の制御機能を変更または補うことが望まれる。このような変更の実行は、特に、このような装置が多数設置され使用されている環境においては、通常、時間を要するとともに、困難である。
【発明の概要】
【発明が解決しようとする課題】
【０００４】
本発明は、上記のニーズに鑑みてなされたもので、ドキュメント処理装置のユーザ・インターフェイスを変更するためのシステムおよび方法を提供することを目的とする。
【課題を解決するための手段】
【０００５】
本発明の一実施形態によるドキュメント処理装置のユーザ・インターフェイスを変更するためのシステムおよび方法においては、ウェブ・サーバが、プロセッサおよびデータ・ストレージとを有するドキュメント処理装置のコントローラ上において起動され、第１の構成ファイルがデータ・ストレージ内に保存される。第１の構成ファイルにしたがって、ドキュメント処理装置の動作に対応する標章（indicia）を含むウェブ出力が生成され、ドキュメント処理装置の動作に対応する標章の表示を含むユーザ・インターフェイスが、ドキュメント処理装置のシン・クライアント・ディスプレイ上に表示される。表示された標章に対応するドキュメント処理装置の動作のユーザ選択に対応するユーザ選択データが、ウェブ・サーバを介して受け取られ、選択データが、受け取られたユーザ選択データにしたがって、ユーザ・インターフェイスを介して、表示される。第１の構成ファイルが、管理ワークステーションに出力され、代わりの第２の構成ファイル（alternative configuration file）が管理ワークステーションから受信される。代替のユーザ・インターフェイスの生成を開始するように、受信された代わりの第２の構成ファイルがウェブ・サーバ内に読み込まれる。
【発明の効果】
【０００６】
本発明によれば、ドキュメント処理装置のユーザ・インターフェイスを変更するためのシステムおよび方法が提供される。
【図面の簡単な説明】
【０００７】
【図１】本発明による実施形態が適用されるシステム全体の構成例である。
【図２】本発明による実施形態のシステムの動作が実行されるドキュメント処理装置のハードウェアの構成例である。
【図３】本発明による実施形態のシステムの動作が実行されるドキュメント処理装置の機能ブロックの構成例である。
【図４】本発明による実施形態のシステムの動作が実行されるコントローラのハードウェアの構成例を説明するための図である。
【図５】本発明による実施形態のシステムの動作が実行されるコントローラの機能ブロックの構成例を説明するための図である。
【図６】本発明による実施形態のシステムの動作が実行されるワークステーションのハードウェアの構成例を説明するための図である。
【図７】本発明の一実施形態によるブロック図の一例である。
【図８】本発明の一実施形態による機能ブロック図の一例である。
【図９】本発明による実施形態における基本的な動作の一例を表すフローチャートである。
【図１０】本発明による実施形態における動作の一例を詳細に表したフローチャートである。
【発明を実施するための形態】
【０００８】
以下、適宜、図面を参照しながら一例としての実施の形態の説明を行う。図１は本実施の形態におけるシステム全体の構成例である。システム１００は、コンピュータ・ネットワーク１０２として表されている分散コンピューティング環境を利用して具体化することができる。
【０００９】
コンピュータ・ネットワーク１０２は、複数の電子装置間におけるデータの交換を可能とする本技術分野で知られている任意の分散通信システムである。コンピュータ・ネットワーク１０２は、例えば、仮想ローカル・エリア・ネットワーク、ワイド・エリア・ネットワーク、パーソナル・エリア・ネットワーク、ローカル・エリア・ネットワーク、インターネット、イントラネット、またはこれらの任意の組合せを含む任意のコンピュータ・ネットワークである。
【００１０】
また、コンピュータ・ネットワーク１０２は、例えば、トークン・リング、IEEE802.11(x)、Ethernet（登録商標）またはその他の無線ベースまたは有線ベースのデータ通信メカニズム等の既存の多数のデータ転送メカニズムによって例示されるような物理レイヤおよびトランスポート・レイヤから構成される。尚、上記のようにコンピュータ・ネットワーク１０２を示したが、本発明の実施形態はこれに限定されるものではなく、例えば、スタンドアローンの形態でも同様に実施可能である。
【００１１】
また、システム１００は、さらに、様々なドキュメント・レンダリング動作またはドキュメント処理を実行するために適切な多機能周辺装置（Multi-Function Peripheral；以下、ＭＦＰ）として図に表されているドキュメント処理装置１０４を有する。ここで、ＭＦＰはドキュメント処理装置の一形態であって、本発明におけるドキュメント処理装置がＭＦＰに限定されるものではない。ドキュメント・レンダリング動作には、例えば、ファクシミリ通信、画像走査、コピー、印刷、電子メール、ドキュメント管理、またはドキュメント保存等がある。また、例えば、ドキュメント処理装置１０４は、リモート・ドキュメント・レンダリング・サービスまたはドキュメント処理サービスを外部装置あるいはネットワークに接続された装置に対して提供する。ドキュメント処理装置１０４は、ユーザあるいはネットワークに接続された装置等とやり取りするように構成された、ハードウェア、ソフトウェアおよびこれらの任意の適切な組合せを含む。ドキュメント処理装置１０４の構成等については、後ほど図２および図３を参照しながら説明を行う。
【００１２】
また、ドキュメント処理装置１０４は、例えば、IEEE 1394あるいはＵＳＢインターフェイスを有する各種ドライブ、多様なＩＣメモリ・カード等の、複数のポータブル記憶媒体を受け入れるためのインターフェイスを備える。また、ドキュメント処理装置１０４は、例えば、タッチスクリーン、ＬＣＤ、タッチパネルまたは英数字キーパッド等の、ユーザ・インターフェイス１０６を備える。ユーザは、ユーザ・インターフェイス１０６を介してドキュメント処理装置１０４と直接やり取りすることができる。
【００１３】
ユーザ・インターフェイス１０６は、ユーザに対して情報を伝達するとともに、ユーザから選択内容を受け取るために、有効に使用される。ユーザ・インターフェイス１０６は、ユーザにデータを提供するために適切な種々のコンポーネントからなる。本発明における一実施形態において、ユーザ・インターフェイス１０６は、１または複数のグラフィック要素、テキスト・データまたは画像等をユーザに表示し、ユーザからの入力を受け取り、その入力を、後ほど説明する、コントローラ１０８等のバックエンド・コンポーネントに伝達するディスプレイ装置を有する。
【００１４】
また、ドキュメント処理装置１０４は、適切な通信リンク１１２を介して、コンピュータ・ネットワーク１０２に通信可能に接続される。通信リンク１１２としては、例えば、WiMax（Worldwide Interoperability for Microwave Access）、IEEE802.11a、IEEE802.11b、IEEE802.11g、IEEE802.11(x)、Bluetooth（登録商標）、公衆交換電話網、専用通信ネットワーク、赤外線接続、光接続やその他の適切な有線または無線のデータ通信チャネルを用いることができる。
【００１５】
また、ドキュメント処理装置１０４は、ドキュメント処理装置１０４による処理動作を容易にする適切なバックエンド・コンポーネントとして、コントローラ１０８を内蔵する。
【００１６】
コントローラ１０８は、ドキュメント処理装置１０４の動作を制御し、あるいはユーザ・インターフェイス１０６を介した画像の表示を制御し、あるいは電子画像データの操作を指示する等の処理を容易にするように構成されたハードウェア、ソフトウェアあるいはこれらの適切な組合せによって実装される。以下の説明において、ドキュメント処理装置１０４に関連する任意の多数のコンポーネントは、後に述べる動作を実行し、もしくは実行させ、もしくは制御し、または指示するように機能するハードウェアのコントローラ、ソフトウェア、またはこれらの組合せを含むものとする。尚、図および上記の説明において、コントローラ１０８をドキュメント処理装置１０４に内蔵された形態としたが、これに限定されるものではなく、コントローラ１０８は、ドキュメント処理装置１０４に通信可能に接続された外部装置の形態であってもよい。コントローラ１０８との関連において説明を行う処理動作は、本技術分野において知られている任意の汎用コンピューティング・システムによって実行可能である。したがって、コントローラ１０８は、そのような汎用的なコンピューティング装置を表しており、以下の説明において使用する際にも、そのように意図されている。また、以下の説明においてはコントローラ１０８を使用しているが、これは実施形態の例にすぎず、その他の実施形態においても、本発明によるドキュメント処理装置のユーザ・インターフェイスを変更するためのシステムおよび方法を利用することができる。コントローラ１０８の構成等については、後ほど図４と図５を参照しながら説明を行う。
【００１７】
また、ドキュメント処理装置１０４にはデータ記憶装置１１０が通信可能に接続される。データ記憶装置１１０は、例えば、ハードディスク・ドライブ、その他の磁気記憶装置、光学式記憶装置、フラッシュ・メモリまたはこれらの任意の組合せを含む記憶装置である。データ記憶装置１１０は、画像走査された画像データ、変更された画像データ、作成されたデータ、ユーザ情報、携帯電話データ、予め設定された支払データ、ドキュメント・データ、画像データ、または電子データベースのデータ等を適切に保存する。一実施形態において、データ記憶装置１１０は、ドキュメント処理インストラクション、使用データ、ユーザ・インターフェイスのデータ、ジョブ制御データ、コントローラの状態データ、コンポーネントの実行データ、画像、広告、ユーザ情報、場所情報、出力テンプレート、マッピング・データ、マルチメディア・データ・ファイル、およびフォント等を保存することもできる。データ記憶装置１１０は、システム１００の独立したコンポーネントとして図１に例示されているが、例えば、内蔵ハードディスク・ドライブ等のような、ドキュメント処理装置１０４の内部記憶装置、あるいはコントローラ１０８に実装される記憶装置あるいはコンポーネントであってもよい。
【００１８】
また、システム１００は、ドキュメント処理装置１０４に接続され、無数の異なるポータブル記憶装置を受け入れアクセスするために適合したポータブル記憶装置の読取り装置１１４を含む。ポータブル記憶装置としては、例えば、本技術分野で知られているような、ＲＦＩＤ（Radio Frequency Identification）カード、スマート・カード、磁気ストレージ・カード、従業員バッジ、フラッシュ・メモリ・ベースの多様なＩＣメモリ・カード、ＣＤ−ＲＯＭ、ＤＶＤ−ＲＯＭ、ＵＳＢインターフェイスを有するフラッシュ・メモリ・ドライブ、または他の磁気記憶装置または光学記憶装置等がある。本発明の例示的な一実施形態において、ポータブル記憶装置は、例えば、多機能周辺装置およびワークステーションとの間においてやり取りされる、構成データを含む。
【００１９】
システム１００は、さらに、通信リンク１１８を介してコンピュータ・ネットワーク１０２とデータ通信可能な管理装置１１６を有する。管理装置１１６は、例えば、コンピュータ・ワークステーション、ノート形パーソナル・コンピュータ、デスクトップ形パーソナル・コンピュータ、ＰＤＡ（Personal Digital Assistant、携帯情報端末）、ウェブ適合（web-enabled）携帯電話、スマート・フォン、専用通信ネットワーク用の電子装置、またはその他のウェブ適合電子装置を含む本技術分野において知られている任意のパーソナル・コンピューティング装置を用いることができる。また、通信リンク１１８は、例えば、Bluetooth（登録商標）、WiMax、IEEE802.11a、IEEE802.11b、IEEE802.11g、IEEE802.11(x)、専用通信ネットワーク、赤外線接続、光接続、公衆交換電話網、または、その他の適切な無線または有線のデータ通信チャネルを用いることができる。
【００２０】
例えば、管理装置１１６は、ドキュメント処理装置１０４の動作を監視し、追跡し、請求処理するように構成された会計システムを含む。本発明のさらなる実施形態によれば、管理装置１１６は、ドキュメント処理装置１０４あるいはコンピュータ・ネットワーク１０２に接続された他の類似装置との関連において、ドキュメント・データ、ユーザ・インターフェイスのデータおよび画像データの少なくとも１つのデータを供給し、ドキュメント処理ジョブ、ユーザ・アカウントおよび請求情報の少なくとも１つを監視し、シン・クライアント・インターフェイスを利用し、表示データまたは出力データを生成し、またはこれらに類似した内容を実行することができる。管理装置１１６の構成等については、後ほど図６を参照しながら説明を行う。
【００２１】
システム１００は、また、管理装置１１６に接続され、無数の異なるポータブル記憶装置を受け入れアクセスするために適合したポータブル記憶装置の読取り装置１２０を含む。ポータブル記憶装置としては、例えば、本技術分野で知られているような、フラッシュ・メモリ・ベースの多様なＩＣメモリ・カード、ＣＤ−ＲＯＭ、ＤＶＤ−ＲＯＭ、ＵＳＢインターフェイスを有するフラッシュ・メモリ・ドライブ、または他の磁気記憶装置または光学記憶装置等がある。
【００２２】
次に、図２に、システム１００の動作が実行され、図１においてはドキュメント処理装置１０４として示した、ドキュメント処理装置２００のハードウェア・アーキテクチャの構成の一例を示す。ドキュメント処理装置２００は、少なくとも１つのＣＰＵから構成されるプロセッサ２０２を含む。プロセッサ２０２は、互いに協調して動作する複数のＣＰＵから構成されることもある。また、ドキュメント処理装置２００には、ＢＩＯＳ機能、システム機能、システム構成データおよびドキュメント処理装置２００の動作に使用するその他のルーチンもしくはデータ等の静的または固定的なデータ、あるいはインストラクションのために有効に使用される、不揮発性または読出し専用メモリ（ＲＯＭ）２０４が含まれている。
【００２３】
また、ドキュメント処理装置２００は、ダイナミック・ランダム・アクセス・メモリ、スタティック・ランダム・アクセス・メモリ、または他の任意の適切なアドレス指定可能かつ書込み可能なメモリ・システムから構成されるＲＡＭ２０６を含む。ＲＡＭ２０６は、プロセッサ２０２によって処理されるアプリケーションおよびデータ処理に関係するデータ・インストラクションのための記憶領域を提供する。
【００２４】
ストレージ・インターフェイス２０８は、ドキュメント処理装置２００に関連するデータの不揮発性保存、大容量保存または長期的な保存ためのメカニズムを提供する。ストレージ・インターフェイス２０８は、参照符号２１６で示したディスク・ドライブ、あるいは光学式ドライブ、テープ・ドライブ等の適切な任意のアドレス指定可能、またはシリアル記憶装置等の大容量記憶装置の他、当業者に知られている適切な任意の記憶媒体を使用する。
【００２５】
ネットワーク・インターフェイス・サブシステム２１０は、ネットワークとの間の入出力を適切にルーティングすることによって、ドキュメント処理装置２００が他の装置と通信することを可能にする。ネットワーク・インターフェイス・サブシステム２１０は、ドキュメント処理装置２００の外部装置との１または複数のコネクションを確立する。図においては、一例として、Ethernet（登録商標）またはトークン・リング等の固定または有線ネットワークとのデータ通信のための少なくとも１つのネットワーク・インターフェイス・カード２１４と、WiFi（Wireless Fidelity）、WiMax、無線モデム、セルラ・ネットワークまたは適切な任意の無線通信システム等の手段を介した無線通信のために適切な無線インターフェイス２１８を示している。ネットワーク・インターフェイス・サブシステム２１０は、任意の物理的データ転送レイヤあるいは物理的データ転送レイヤではないデータ転送レイヤまたはプロトコル・レイヤを適切に利用する。図においては、ネットワーク・インターフェイス・カード２１４は、例えば、ローカル・エリア・ネットワーク、ワイド・エリア・ネットワークまたはこれらの組合せから適切に構成される物理的ネットワーク２２０を介したデータ交換を行うために、相互接続されている。
【００２６】
プロセッサ２０２、読出し専用メモリ（ＲＯＭ）２０４、ＲＡＭ２０６、ストレージ・インターフェイス２０８およびネットワーク・インターフェイス・サブシステム２１０の間のデータ通信は、バス２１２によって例示したバス・データ転送メカニズムを介して行われる。
【００２７】
ドキュメント処理装置２００における実行可能なインストラクションは、ワークステーション、他のドキュメント処理装置、その他のサーバ等の複数の外部装置との通信を円滑に実行する。動作の際、代表的な装置は自立的に動作するが、しばしば、ローカル・ユーザによる直接的な制御が望ましい場合もある。ローカル・ユーザによる直接的な制御は、ユーザ入出力（Ｉ／Ｏ）パネル２２４へのオプションの入出力（Ｉ／Ｏ）インターフェイス２２２を介して実行することができる。
【００２８】
また、１または複数のドキュメント処理エンジンへのインターフェイスも、バス２１２を介してデータ通信を行う。図に示した実施形態においては、印刷インターフェイス２２６、コピー・インターフェイス２２８、画像走査インターフェイス２３０およびファクシミリ・インターフェイス２３２は、それぞれ、印刷エンジン２３４、コピー・エンジン２３６、画像走査エンジン（スキャナ）２３８、およびファクシミリ・エンジン２４０との通信を容易にする。ドキュメント処理装置２００は、１または複数のドキュメント処理機能を適切に実行する。複数のドキュメント処理動作を実行するシステムは、通常、多機能周辺装置（ＭＦＰ）または多機能装置と呼ばれる。
【００２９】
次に、システム１００の動作が実行されるドキュメント処理装置３００の機能ブロック構成の一例を示す。図３は、ソフトウェアおよびオペレーティング・システム機能と関連して、図２に示したハードウェアの機能性を例示している。
【００３０】
ドキュメント処理装置３００は、１または複数のドキュメント処理動作を円滑に実行するドキュメント処理エンジン３０２を含む。ドキュメント処理エンジン３０２は、印刷エンジン３０４、ファクシミリ・エンジン３０６、画像走査エンジン（スキャナ）３０８およびコンソール・パネル３１０を含む。印刷エンジン３０４は、ドキュメント処理装置３００に伝達される電子ドキュメントを、物理的なドキュメント、すなわちハードコピーの出力を可能とする。ファクシミリ・エンジン３０６は、ファクシミリ・モデム等の装置を介して、外部のファクシミリ装置との間で相互にファクシミリ通信を行う。
【００３１】
画像走査エンジン（スキャナ）３０８は、ハードコピー・ドキュメントを受け取り、このハードコピー・ドキュメントに対応する画像データに変換するように機能する。コンソール・パネル３１０等のユーザ・インターフェイスは、ユーザからのインストラクションの入力と、ユーザへの情報の表示を可能にする。画像走査エンジン３０８は、有形のドキュメントの入力を、ビットマップ・フォーマット、ベクター・フォーマットまたはページ記述言語（ＰＤＬ）フォーマットの電子的な形態へ変換し、さらに、光学文字認識のためにも構成されている。また、有形のドキュメントの画像走査は、ファクシミリ動作においても有効に機能する。
【００３２】
図３に示したドキュメント処理エンジン３０２は、ネットワーク・インターフェイス・ドライバ３２６を介したネットワークとのインターフェイス３１６も備え、例えばネットワーク・インターフェイス・カードから構成されている。ネットワークは、有線、無線あるいは光によるデータ通信のような任意の適切な物理的レイヤおよび物理的でないレイヤによって、十分なやり取りを実現する。
【００３３】
ドキュメント処理エンジン３０２は、１または複数のデバイス・ドライバ３１４と適切な通信を行う。デバイス・ドライバ３１４は、実際のドキュメント処理動作を実行するために、ドキュメント処理エンジン３０２と、１または複数の物理的装置との間のデータ交換を可能とする。このようなドキュメント処理動作には、ドライバ３１８による印刷、ドライバ３２０によるファクシミリ通信、ドライバ３２２による画像走査、およびドライバ３２４によるユーザ・インターフェイス機能の中の１または複数のものが含まれる。これらの多様なデバイス・ドライバは、ドキュメント処理エンジン３０２と関連する１または複数の対応したエンジンと結合されている。本発明においては、ドキュメント処理動作の任意のセットまたはサブセットが想定されている。複数の利用可能なドキュメント処理オプションを含むドキュメント処理装置は、前述したようにＭＦＰ等と呼ばれる。
【００３４】
次に、一例として、図４は、システム１００の動作が実行されるバックエンド・コンポーネント、すなわち、図１においてはコントローラ１０８として示したコントローラ４００のハードウェア・アーキテクチャの構成図の一例である。尚、図４では、コントローラのコンポーネントの意義をより明確にするため、参照符号４３２で表した、コントローラ以外のドキュメント処理装置のコンポーネントの一部を併せて示す。コントローラ４００は、本明細書に記載する動作を円滑に実行する能力を有する、本技術分野において知られている任意の汎用的なコンピューティング装置を表す。コントローラ４００には、少なくとも１つのＣＰＵを含むプロセッサ４０２が含まれる。プロセッサ４０２は、互いに協調して動作する複数のＣＰＵから構成されることもある。また、コントローラ４００には、ＢＩＯＳ機能、システム機能、システム構成データおよびコントローラ４００の動作に使用する他のルーチンもしくはデータ等の静的または固定的なデータ、あるいはインストラクションのために有効に使用される、不揮発性または読出し専用メモリ（ＲＯＭ）４０４が含まれる。
【００３５】
また、コントローラ４００には、ダイナミック・ランダム・アクセス・メモリ、スタティック・ランダム・アクセス・メモリ、または他の任意の適切なアドレス指定可能かつ書込み可能なメモリ・システムから構成されるＲＡＭ４０６が含まれている。ＲＡＭ４０６は、プロセッサ４０２によって処理されるアプリケーションおよびデータ処理に関係するデータ・インストラクションのための記憶領域を提供する。
【００３６】
ストレージ・インターフェイス４０８は、コントローラ４００に関連するデータの不揮発性保存、大容量保存または長期的な保存のためのメカニズムを提供する。ストレージ・インターフェイス４０８は、参照符号４１６で示したディスク・ドライブ、あるいは光学式ドライブ、テープ・ドライブ等の適切な任意のアドレス指定可能、またはシリアル記憶装置等の大容量記憶装置の他、当業者に知られている適切な任意の記憶媒体を使用する。
【００３７】
ネットワーク・インターフェイス・サブシステム４１０は、ネットワークとの間の入出力を適切にルーティングすることによって、コントローラ４００が他の装置と通信することを可能にする。ネットワーク・インターフェイス・サブシステム４１０は、コントローラ４００に対する外部装置との１または複数のコネクションのインターフェイスを適切にとる。例えば、図に示すように、Ethernet（登録商標）またはトークン・リング等の固定または有線ネットワークとのデータ通信のための少なくとも１つのネットワーク・インターフェイス・カード４１４と、WiFi、WiMax、無線モデム、セルラ・ネットワークまたは適切な任意の無線通信システム等の手段を介した無線通信のために適切な無線インターフェイス４１８が接続される。また、ネットワーク・インターフェイス・サブシステム４１０は、任意の物理的データ転送レイヤあるいは物理的データ転送レイヤではないデータ転送レイヤまたはプロトコル・レイヤを適切に利用する。図に示すように、ネットワーク・インターフェイス・カード４１４は、例えば、ローカル・エリア・ネットワーク、ワイド・エリア・ネットワークまたはこれらの組合せから適切に構成される物理的ネットワーク４２０を介したデータ交換を行うために、相互接続される。
【００３８】
プロセッサ４０２、読出し専用メモリ（ＲＯＭ）４０４、ＲＡＭ４０６、ストレージ・インターフェイス４０８およびネットワーク・インターフェイス・サブシステム４１０の間のデータ通信は、バス４１２によって例示したバス・データ転送メカニズムを介して行われる。
【００３９】
また、ドキュメント・プロセッサ・インターフェイス４２２もバス４１２を介してデータ通信を行う。ドキュメント・プロセッサ・インターフェイス４２２は、様々なドキュメント処理動作を実行するために、ドキュメント処理ハードウェア４３２との接続を提供する。そのようなドキュメント処理動作には、コピー・ハードウェア４２４によって実行されるコピー、画像走査ハードウェア４２６によって実行される画像走査、印刷ハードウェア４２８によって実行される印刷、およびファクシミリ・ハードウェア４３０によって実行されるファクシミリ通信がある。コントローラ４００は、これらのドキュメント処理動作のいずれかまたは全部を適切に動作させる。複数のドキュメント処理動作を実行可能なシステムは、前述したように、ＭＦＰまたは多機能装置と呼ばれる。システム１００の機能は、ドキュメント処理装置と関連するインテリジェント・サブシステムとして図４に示したコントローラ４００（図１においてはコントローラ１０８として示されている）を含む、ドキュメント処理装置１０４等の適切なドキュメント処理装置において実行される。
【００４０】
次に、一例として、システム１００の動作が実行されるコントローラの機能ブロックと動作の概要を説明する。図５において、ソフトウェアおよびオペレーティング・システム機能と関連して、図４に示したハードウェアの機能性を例示する。尚、図５においても、コントローラの機能要素の意義をより明確にするため、コントローラ以外のドキュメント処理装置の機能要素の一部を併せて示している。
【００４１】
図５に示すように、コントローラ機能は、ドキュメント処理エンジン５０２を有する。ドキュメント処理エンジン５０２は、印刷動作、コピー動作、ファクシミリ通信動作および画像走査動作を可能にする。これらの機能は、産業界において一般に好まれるドキュメント処理周辺装置であるＭＦＰと関連付けられることが多い。しかし、コントローラが上記のドキュメント処理動作のすべてを可能にする必要は必ずしもない。コントローラは、上記のドキュメント処理動作のサブセットである、専用のドキュメント処理装置、あるいはより限定した目的のドキュメント処理装置においても有効に用いられる。
【００４２】
ドキュメント処理エンジン５０２はユーザ・インターフェイス・パネル５１０と適切にインターフェイスされており、ユーザまたは管理者は、このユーザ・インターフェイス・パネル５１０を介して、ドキュメント処理エンジン５０２によって制御される機能にアクセスすることができる。アクセスは、コントローラにローカル接続されたインターフェイスを介して行われるか、遠隔のシン・クライアント（thin client）またはシック・クライアント（thick client）によって遠隔から行われる。
【００４３】
ドキュメント処理エンジン５０２は、印刷機能部５０４、ファクシミリ通信機能部５０６および画像走査機能部５０８とデータ通信を行う。これらの機能部５０４、５０６、５０８は、印刷、ファクシミリの送受信、およびドキュメント画像をコピーのために取得するか、またはドキュメント画像の電子バージョンを生成するための、ドキュメント画像走査の実際の処理動作を容易にする。
【００４４】
ジョブ・キュー（job queue）５１２は、印刷機能部５０４、ファクシミリ通信機能部５０６および画像走査機能部５０８とデータ通信を行う。ビットマップ・フォーマット、ページ記述言語（ＰＤＬ）フォーマットまたはベクター・フォーマット等の種々の画像形式は、画像走査機能部５０８からジョブ・キュー５１２を介して以降の処理のために中継される。
【００４５】
ジョブ・キュー５１２は、また、ネットワーク・サービス機能部５１４ともデータ通信を行う。一実施形態において、ジョブ制御信号、状態データまたは電子ドキュメント・データが、ジョブ・キュー５１２とネットワーク・サービス機能部５１４との間で交換される。このように、クライアント側ネットワーク・サービス機能５２０を介したコントローラ機能へのネットワーク・ベースのアクセスに適切なインターフェイスが提供され、このインターフェイスは任意の適切なシン・クライアントまたはシック・クライアントである。また、ウェブ・サービス・アクセスが、例えば、ハイパーテキスト転送プロトコル（HTTP）、ファイル転送プロトコル（FTP）、ユニフォーム・データ・ダイアグラム・プロトコルまたは他の任意の適切な交換メカニズムによって実行される。ネットワーク・サービス機能部５１４は、また、ＦＴＰ、電子メール、またはテルネット（TELNET）等を介した通信のために、クライアント側ネットワーク・サービス機能５２０とのデータ交換も有効に提供する。このように、コントローラ機能は、種々のネットワーク・アクセス・メカニズムによって、電子ドキュメントおよびユーザ情報のやり取りを容易にする。
【００４６】
ジョブ・キュー５１２は、また、画像プロセッサ５１６ともデータ通信を行う。画像プロセッサ５１６は、印刷機能部５０４、ファクシミリ通信機能部５０６または画像走査機能部５０８等の装置機能部と、電子ドキュメントを交換するために適したフォーマットに変換するラスタ画像処理（ＲＩＰ）、ページ記述言語インタープリタまたは任意の適切な画像処理を行うメカニズムである。
【００４７】
さらに、ジョブ・キュー５１２はジョブ解析部（job parser）５１８とデータ通信を行い、このジョブ解析部５１８はクライアント装置サービス部５２２等の外部装置からの印刷ジョブ言語ファイルを受け取る働きをする。クライアント装置サービス部５２２は、電子ドキュメントの印刷、ファクシミリ通信、またはコントローラ機能による処理が有効である他の適切な電子ドキュメントの入力を含む。ジョブ解析部５１８は、受け取った電子ドキュメント・ファイルを解析し、前述した機能およびコンポーネントと関連する処理のために、解析した電子ドキュメント・ファイル情報をジョブ・キュー５１２に中継する働きをする。
【００４８】
次に、図１においては管理装置１１６として示した、ワークステーションのハードウェア構成を説明する。図６は、ユーザ装置の一例としてのワークステーション６００のハードウェア・アーキテクチャの概略構成図である。
【００４９】
ワークステーション６００は、不揮発性または読出し専用メモリ（ＲＯＭ）６０４、ＲＡＭ６０６、表示インターフェイス６０８、ストレージ・インターフェイス６１０、およびネットワーク・インターフェイス・サブシステム６１２とデータ通信可能に配置された、少なくとも１つのＣＰＵから構成されるプロセッサ６０２を有する。プロセッサ６０２は、互いに協調して動作する複数のＣＰＵから構成されることもある。また、読出し専用メモリ（ＲＯＭ）６０４等の上述したモジュールへのインターフェイスは、バス６１４を介して、実行される。
【００５０】
読み出し専用メモリ（ＲＯＭ）６０４は、静的なデータやＢＩＯＳのような固定的なデータ等のファームウェア、システム機能、システム構成データ、およびプロセッサ６０２によってワークステーション６００の動作に使用される他のルーチンを保存する。
【００５１】
ＲＡＭ６０６は、プロセッサ６０２により処理されるアプリケーションおよびデータ処理に関係するデータとインストラクションのための記憶領域を提供する。
【００５２】
表示インターフェイス６０８は、バス６１４に接続された他のコンポーネントからデータまたはインストラクションを受け取る。表示インターフェイス６０８が受け取るデータは、ユーザ・インターフェイスの有効な表示の生成に固有なデータである。表示インターフェイス６０８は、例えば、モニタ、ＬＣＤ、プラズマ・ディスプレイまたは他の適切な視覚出力装置等のビデオ表示装置である表示モニタ６２８に出力を供給する。
【００５３】
ストレージ・インターフェイス６１０は、例えば、ワークステーション６００に関連するデータまたはインストラクションの不揮発性保存、大容量保存または長期的な保存のためのメカニズムを提供する。ストレージ・インターフェイス６１０は、参照符号６１８で示したディスク・ドライブ、テープ・ドライブ、あるいは光学式ドライブ等の適切な任意のアドレス指定可能、またはシリアル記憶装置等の記憶メカニズムを使用する。
【００５４】
ネットワーク・インターフェイス・サブシステム６１２は、例えば、ネットワーク・インターフェイス・カード６２０として図示した少なくとも１つのネットワーク・インターフェイスと、WiFi無線ネットワーク・カード等の無線インターフェイス６３０と通信を行う。ネットワーク・インターフェイス・サブシステム６１２は、物理レイヤとプロトコル・レイヤの両方から構成され、また、Ethernet（登録商標）、トークン・リング、他のワイド・エリア・ネットワークまたはローカル・エリア・ネットワーク通信システム等の任意の有線システム、あるいはWiFi、WiMax、もしくは他の適切な無線ネットワーク通信システム等の無線システムを介して、ワークステーション６００が他の装置と通信することを可能にする。図においては、ネットワーク・インターフェイス・カード６２０は、例えば、ローカル・エリア・ネットワーク、ワイド・エリア・ネットワークまたはこれらの組合せから適切に構成される物理的ネットワーク６３２を介したデータ交換を行うために、相互接続されている。
【００５５】
バス６１４とデータ通信を行う入出力インターフェイス６１６は、例えばキーボード等の入力装置６２２と接続される。また、入出力インターフェイス６１６は、ＵＳＢインターフェイス、ＳＣＳＩインターフェイス、ＩＥＥＥ１３９４インターフェイス等の周辺装置インターフェイス６２４、あるいは特定の用途に適した任意の他のインターフェイスに、データ出力を提供する。さらに、入出力インターフェイス６１６は、マウス、ライト・ペンまたはタッチスクリーン等の装置と接続するために、ポインティング・デバイス・インターフェイス６２６とデータ通信を行う。
【００５６】
次に図７に、一実施形態によるシステムのブロック図の一例を示す。図に示すように、システム７００は、インテリジェント・コントローラ７０４を有するドキュメント処理装置７０２を含む。コントローラ７０４は、プロセッサ７０６およびデータ・ストレージ７０８を備える。また、システム７００は、例えば、コントローラ７０４に配置されたウェブ・サーバ７１０を含む。ウェブ・サーバ７１０は、ドキュメント処理装置７０２の動作に対応する標章を含むウェブ出力を生成するために、第１のウェブ・サーバ構成ファイルによって構成されている。第１の構成ファイルは、例えば、ＸＭＬコードから構成される。さらに、ウェブ・サーバ７１０は、生成された標章にしたがってドキュメント処理装置の動作のユーザ選択に対応するユーザ選択データを受け取るように構成されている。システム７００は、ウェブ・サーバとインターフェイスし、かつ、ドキュメント処理装置の動作に対応する標章の表示を含むユーザ・インターフェイスを表示するシン・クライアントを有するユーザ・インターフェイス７１２をさらに含む。また、ユーザ・インターフェイス７１２は、受け取られたユーザ選択データにしたがって選択データを表示する。また、システム７００は管理ワークステーション７１８を含む。システム７００は、第１の構成ファイルを管理ワークステーション７１８に出力するデータ・ポート７１４をさらに含む。データ・ポート７１４は、例えば、ネットワーク・インターフェイスまたはストレージ・インターフェイスから構成される。一実施形態において、システム７００は、データ・ポート７１４が第１の構成ファイルを管理ワークステーション７１８に出力する前に、第１の構成ファイルからユーザ・インターフェイス要素のサブセットを選択するフィルタ（図示せず）を、さらに、含む。フィルタによって選択されるユーザ・インターフェイス要素のサブセットは、例えば、グラフィカル・ユーザ要素または装置制御要素（device control elements）である。データ・ポート７１４は、また、管理ワークステーション７１８から代わりの第２の構成ファイルを受信する。さらに、システム７００は、受信された代わりの第２の構成ファイルにしたがって代替のユーザ・インターフェイスの生成を開始するように、受信された代わりの第２の構成ファイルをウェブ・サーバ内に読み込むデータ・エディタ７１６を備える。
【００５７】
本発明の一実施形態において、データ・ポート７１４は、さらに、補足的な構成ファイルを受信し、  データ・エディタ７１６は、受信された補足的な構成ファイルにしたがって増補されたユーザ・インターフェイスの生成を開始するために、補足的な構成ファイルを第１の構成ファイルに追加する。
【００５８】
次に図８に、本発明の一実施形態によるシステムの機能ブロック図の一例を示す。ウェブ・サーバ起動部８０２は、プロセッサおよびデータ・ストレージを有するドキュメント処理装置のコントローラ１０８上において、ウェブ・サーバを起動する。構成ファイル保存部８０４は、第１の構成ファイルをデータ・ストレージに保存する。ウェブ出力生成部８０６は、第１の構成ファイルにしたがって、ドキュメント処理装置の動作に対応する標章（indicia）を含むウェブ出力を生成する。ユーザ・インターフェイス表示部８０８は、ドキュメント処理装置のシン・クライアント・ディスプレイ上にユーザ・インターフェイスを表示する。ユーザ・インターフェイスは、例えば、ドキュメント処理装置の動作に対応する標章の表示を含む。選択データ受取り部８１０は、ウェブ・サーバを介して、ユーザ選択データを受け取る。ユーザ選択データは、表示された標章に対応するドキュメント処理装置のユーザ選択に対応する。選択データ表示部８１２は、受け取られたユーザ選択データにしたがって、ユーザ選択データを、ユーザ・インターフェイスを介して表示する。構成ファイル出力部８１４は、第１の構成ファイルを関連する管理ワークステーションに対して出力する。代替構成ファイル受信部８１６は、管理ワークステーションから、代わりの第２の構成ファイルを受信する。代替構成ファイル読込み部８１８は、受信された代わりの第２の構成ファイルにしたがって代替のユーザ・インターフェイスの生成を開始するように、受信された代わりの第２の構成ファイルをウェブ・サーバ内に読み込む。
【００５９】
次に、本発明における動作の概要の一例を、フローチャートを参照しながら説明する。図９は、本実施の形態における基本的な動作の一例を示すフローチャートである。先ず、Ｓ９０２において、ウェブ・サーバが、プロセッサ４０２およびディスク・ドライブ４１６等のデータ・ストレージを有するドキュメント処理装置のコントローラ１０８上において起動される。
【００６０】
Ｓ９０４において、第１の構成ファイルがデータ記憶装置１１０内に保存される。次いでＳ９０６において、第１の構成ファイルにしたがって、ドキュメント処理装置１０４の動作に対応する標章を含むウェブ出力が生成される。Ｓ９０８において、ドキュメント処理装置１０４の動作に対応する標章の表示を含むユーザ・インターフェイスが、例えば、ドキュメント処理装置１０４のユーザ・インターフェイス１０６等のシン・クライアント・ディスプレイ上に表示される。Ｓ９１０において、表示された標章に対応するドキュメント処理装置１０４の動作のユーザ選択に対応するユーザ選択データが、ウェブ・サーバを介して受け取られる。次いでＳ９１２において、受け取られたユーザ選択データにしたがって、選択データがユーザ・インターフェイスを介して表示される。Ｓ９１４において、第１の構成ファイルが、例えば、管理装置１１６等の適切な管理ワークステーションに対して出力される。次いでＳ９１６において、代わりの第２の構成ファイルが、管理装置１１６から受信される。Ｓ９１８において、受信された代わりの第２の構成ファイルにしたがって代替のユーザ・インターフェイスの生成を開始するように、受信された代わりの第２の構成ファイルがウェブ・サーバ内に読み込まれる。
【００６１】
さらに、本発明における動作の一例について図１０のフローチャートを用いて詳述する。先ず、Ｓ１００２で、プロセッサ４０２およびディスク・ドライブ４１６等のデータ・ストレージを有するドキュメント処理装置１０４のコントローラ１０８が、ウェブ・サーバを起動する。次いでＳ１００４において、第１の構成ファイルがディスク・ドライブ４１６等のデータ・ストレージに保存される。一実施形態において、構成ファイルは、記述子およびアイコン・ファイルを含むＸＭＬコードから構成される。これらのファイルは、アーカイブに圧縮して単一ファイルにすることも可能であり、あるいは個別にエクスポートすることもできる。以下に、記述子ファイルの例を示す。
【００６２】
<LocalizationPack name=locale creationTime=time user=username>
<SupportedFeatures>textual description</SupportedFeatures>
<Messages>
<Message id=identifier descriptor=textual description of string>
<Locale=lang>string</Locale>
….
</Message>
….
</Messages>    
<Screens>
<Screen id=identifier descriptor=textual description of UI>
<Locale=country>path of xml</Locale>
….
</Screen>
….
</Screens>
<Frames>
<Frame id=identifier descriptor=textual description of UI>
<Locale=country>path of xml</Locale>
….
</Frame>
….
</Frames>
<Icons>
<Icon id=identifier descriptor=textual description of icon>
<Locale=language_country>path of icon</Locale>
….
</Icon>
….
</Icons>
</LocalizationPack>
Ｓ１００６において、第１の構成ファイルにしたがってウェブ出力が生成される。例えば、ウェブ出力は、ドキュメント処理装置１０４の動作に対応する標章を含む。Ｓ１００８において、ユーザ・インターフェイスが、ドキュメント処理装置１０４のシン・クライアント・ディスプレイ上に表示される。例えば、ユーザ・インターフェイスは、ドキュメント処理装置１０４の動作に対応する標章の表示を含む。次いでＳ１０１０において、表示された標章に対応するドキュメント処理装置１０４の動作のユーザ選択に対応するユーザ選択データが、ウェブ・サーバを介して受け取られる。次いでＳ１０１２において、受け取られたユーザ選択データにしたがって、選択データがユーザ・インターフェイスを介して表示される。Ｓ１０１４において、ユーザ・インターフェイス要素のサブセットが、第１の構成ファイルからフィルタリングされる。本発明の一実施形態において、フィルタリングされるユーザ・インターフェイス要素は、グラフィカル・ユーザ要素（graphical user elements）である。本発明の別の実施形態においては、フィルタリングされるユーザ・インターフェイス要素は、装置制御要素である。
【００６３】
次いでＳ１０１６において、コントローラ１０８もしくはドキュメント処理装置１０４に関連する他の適切なコンポーネントは、第１の構成ファイルを管理装置１１６に出力する。一実施形態において、構成ファイルは、ネットワーク・インターフェイスを介して出力される。別の実施形態においては、構成ファイルは、ストレージ・インターフェイスを介して、ＵＳＢインターフェイスの記憶媒体等のポータブル記憶装置に出力される。管理装置１１６は、構成ファイルをカスタム化するための視覚的ツール等のカスタム化ツールを含む。次いでＳ１０１８において、代わりの第２の構成ファイルが、管理装置１１６から受信される。受信した代わりの第２の構成ファイルにしたがって代替のユーザ・インターフェイスの生成を開始するように、Ｓ１０２０において、代わりの第２の構成ファイルがウェブ・サーバ内に読み込まれる。Ｓ１０２２において、補足的な構成ファイルが受信され、Ｓ１０２４において、第１の構成ファイルに追加される。Ｓ１０２６において、追加された構成ファイルにしたがって、増補されたユーザ・インターフェイスが生成される。
【００６４】
本発明の好ましい実施形態の以上の説明は、例示と説明のために行った。説明は網羅的ではなく、本発明を開示した形態に限定しようとするものでもない。以上の開示を鑑みて明らかな修正または変形が可能である。実施形態は、本発明の原理とその実際的な応用例を最もよく示し、それにより当業者が、本発明を、意図された特定の使用に適した様々な実施形態において様々な修正で使用できるように選択され説明された。そのようなすべての修正と変形は、特許請求の範囲の記載に明示されるとおりの本発明の原理および範囲内において、当業者によって行われ得ることは明らかであり、特許請求の範囲の記載によって定められる本発明の範囲内にある。
【符号の説明】
【００６５】
１００、７００・・・システム、  １０２・・・コンピュータ・ネットワーク、分散通信システム、  １０４、２００、３００、７０２・・・ドキュメント処理装置、ＭＦＰ、  １０６・・・ユーザ・インターフェイス、  １０８、４００、７０４・・・コントローラ、  １１０・・・データ記憶装置、  １１２、１１８・・・通信リンク、１１４、１２０・・・ポータブル記憶装置の読取り装置、  １１６・・・管理装置、  ２０２、４０２、６０２、７０６・・・プロセッサ、  ２０４、４０４、６０４・・・読出し専用メモリ、ＲＯＭ、  ２０６、４０６、６０６・・・ＲＡＭ、  ２０８、４０８、６１０・・・ストレージ・インターフェイス、  ２１０、４１０、６１２・・・ネットワーク・インターフェイス・サブシステム、  ２１２、４１２、６１４・・・バス、  ２１４、３１６、４１４、６２０・・・ネットワーク・インターフェイス・カード、  ２１６、４１６、６１８・・・ディスク・ドライブ、  ２１８、４１８、６３０・・・無線インターフェイス、  ２２０、４２０、６３２・・・物理的ネットワーク、  ２２２・・・オプションの入出力インターフェイス、  ２２４・・・ユーザ入出力パネル、  ２２６・・・印刷インターフェイス、  ２２８・・・コピー・インターフェイス、  ２３０・・・画像走査インターフェイス、  ２３２・・・ファクシミリ・インターフェイス、  ２３４、３０４・・・印刷エンジン、  ２３６・・・コピー・エンジン、  ２３８、３０８・・・画像走査エンジン、  ２４０、３０６・・・ファクシミリ・エンジン、  ３０２、５０２・・・ドキュメント処理エンジン、  ３１０・・・コンソール・パネル、  ３１４・・・デバイス・ドライバ、  ３１８、３２０、３２２、３２４、３２６・・・ドライバ、  ４２２・・・ドキュメント・プロセッサ・インターフェイス、  ４２４・・・コピー・ハードウェア、  ４２６・・・画像走査ハードウェア、
４２８・・・印刷ハードウェア、  ４３０・・・ファクシミリ・ハードウェア、  ４３２・・・ドキュメント処理ハードウェア、  ５０４・・・印刷機能部、  ５０６・・・ファクシミリ通信機能部、  ５０８・・・画像走査機能部、  ５１０・・・ユーザ・インターフェイス・パネル、  ５１２・・・ジョブ・キュー、  ５１４・・・ネットワーク・サービス機能部、  ５１６・・・画像プロセッサ、  ５１８・・・ジョブ解析部、  ５２０・・・クライアント側ネットワーク・サービス機能、  ５２２・・・クライアント装置サービス部、  ６００・・・ワークステーション、  ６０８・・・表示インターフェイス、  ６１６・・・入出力インターフェイス、  ６２２・・・入力装置、キーボード、  ６２４・・・周辺装置インターフェイス、  ６２６・・・ポインティング・デバイス・インターフェイス、  ６２８・・・表示モニタ、  ７０８・・・データ・ストレージ、  ７１０・・・ウェブ・サーバ、  ７１２・・・ユーザ・インターフェイス、  ７１４・・・データ・ポート、  ７１６・・・データ・エディタ、  ７１８・・・管理ワークステーション
【図１】
2010165353.tif 000003
【図２】
2010165353.tif 000004
【図３】
2010165353.tif 000005
【図４】
2010165353.tif 000006
【図５】
2010165353.tif 000007
【図６】
2010165353.tif 000008
【図７】
2010165353.tif 000009
【図８】
2010165353.tif 000010
【図９】
2010165353.tif 000011
【図１０】
2010165353.tif 000012